(57)【要約】本発明は、リアルタイムにデータ記録媒体からの映像シークエンスの再生を個別に制御し、影響を与えるための方法に関し、メニュー制御により実行されるナビゲーションを含む。古いデータ記録媒体の情報を更新または編集された形式で再生するために、一回または毎回の再生プロセス中に、再生シークエンスを変更し、拡張し、及び／又は追加情報を設ける方法を本発明は提供する。従って、この方法により追加で記憶された情報のリンクによって、例えば映像等の情報をリアルタイムに再生できる。このようにすれば、例えば既存の映像に、リンクなしでは表示できなかったであろう詳細情報を補足できる。【特許請求の範囲】
【請求項１】
データ記録媒体からの映像再生をリアルタイムに個別に制御し、前記映像の再生に影響を与え、メニュー制御により実行されるナビゲーションを含む方法であって、最初の、またはその後の再生プロセス中に、再生シークエンスが変更、拡張され、及び／又は追加の情報が設けられることを特徴とする方法。
【請求項２】
反復的な形式または繰り返し形式で映像をカットすることにより、映像の上映時間中に視聴者により映像の内容が影響されることを特徴とする請求項１に記載の方法。
【請求項３】
データ記録媒体の既存のメニュー制御は、メニュー制御により停止および／または無効にされることを特徴とする請求項１または請求項２に記載の方法。
【請求項４】
前記メニュー制御は外部プログラムによって影響されることを特徴とする請求項１乃至３のいずれかに記載の方法。
【請求項５】
前記ナビゲーションは主媒体としての映像または外部制御プログラムにより行われることを特徴とする請求項４に記載の方法。
【請求項６】
映像の新しいカットはリアルタイムに行なわれ、個別の映像シークエンスは、時間コードと既存の見出しにより直接選択できる請求項５に記載の方法。
【請求項７】
例えば静的または動的な映像マーキング、またはインターネットからのデータ呼び出しなどの視聴者による人為的介入が映像の追加データとともにファイル内に記憶されることを特徴とする請求項１乃至６のうちいずれか１つ以上の請求項に記載の方法。
【請求項８】
前記メニュー制御はデータ記録媒体または再生装置の少なくとも一部に記憶され、呼び出されることを特徴とする請求項１乃至７のうちいずれか１つ以上の請求項に記載の方法。
【請求項９】
前記データ記録媒体は個別の識別コードにより識別され、前記メニュー制御は前記識別コードの検討により特定の再生変数を選択することを特徴とする請求項１乃至８のうちいずれか１つ以上の請求項に記載の方法。
【請求項１０】
前記メニュー制御はインターネットへの接続を生成し、前記識別コードを使ってデータ記録媒体の製造者または作成者から追加情報を呼び出し、再生中にこの情報を検討することを特徴とする請求項１乃至９のうちいずれか１つ以上の請求項に記載の方法。
【請求項１１】
前記メニュー制御はウェブサーバー上に配置された制御プログラムによって影響され、記憶されたデータの再生を変更することを特徴とする請求項１乃至１０のうちいずれか１つ以上の請求項に記載の方法。
【請求項１２】
前記制御プログラムはインターネットに接続された外部データ処理装置上にその少なくとも一部が記憶され、前記外部データ処理装置はインターネットを介して前記メニュー制御に影響を与えることを特徴とする請求項１乃至１１のうちのいずれか１つ以上の請求項に記載の方法。
【請求項１３】
再生は前記メニュー制御と前記制御プログラムによって中断され、インターネットを介して、ウェブサーバーまたはプレゼンテーション用コンピュータにより追加情報が再生プロセスへ挿入、または重ね合わせられ、また置換として再生されることを特徴とする請求項１乃至１２のうちのいずれか１つ以上の請求項に記載の方法。
【請求項１４】
追加データ、テキスト、音声及び／又はビデオシークエンスは、前記メニュー制御を使ってウェブからダウンロードされて、再生され、またこれらは、例えばビデオファイル、テキストファイル、音声または映像シークエンスであることを特徴とする請求項１乃至１３のうちのいずれか１つ以上の請求項に記載の方法。
【請求項１５】
データ記録媒体上の既存の古いデータは、前記メニュープログラムにより、ウェブサーバーからの新しいデータで補足及び／又は置換されることを特徴とする請求項１乃至１４のうちいずれか１つ以上の請求項に記載の方法。
【請求項１６】
ある時点で自動的に再生されている映像シークエンスは、ユーザーが介入することなく、時間コードの関数として、特定の機能を発動し、または、ユーザーの手動介入が実行されるようにするために、ある時点で再生されている映像シークエンスが停止し、その時点で表示されている画像をメニューポイントとして提供することを特徴とする請求項１乃至１５のうちいずれか１つ以上の請求項に記載の方法。
【請求項１７】
特定の対象物を選択し、その物体についての追加情報を要求するために、静止または動画像にマウスポインタを使ってアクセスできることを特徴とする請求項１乃至１６のうちいずれか１つ以上の請求項に記載の方法。
【請求項１８】
前記メニュープログラムに影響を与える前記制御プログラムは、見本市または会社の建物内に配置されたプレゼンテーション用コンピュータ、データ記録媒体の作成者のウェブサーバー上、またはデータを記憶するために必要な他の装置上に記憶されることを特徴とする請求項１７に記載の方法。
【請求項１９】
ビデオまたは映像シークエンスの再生が中断され、映像内に存在する物体や人についての特定の製品情報または他の情報はウェブサーバーからダウンロードされ、表示されることを特徴とする請求項１８に記載の方法。
【請求項２０】
情報の要求、注文、または問い合わせのために、特定の物体を選択し、記憶する買い物籠システムが前記メニュー制御に組み込まれ、データはネットワークを介して伝送、記憶されて呼び出されることを特徴とする請求項１乃至１９のうちいずれか１つ以上の請求項に記載の方法。
【請求項２１】
追加情報が提示された後で、例えば対話を行ったり、または注文するために、視聴者によって手動介入ができることを特徴とする請求項１乃至２０のうちいずれか１つ以上の請求項に記載の方法。
【請求項２２】
再生中、個別の物体または人には映像マーキングを挿入することによりマークを付けることができ、動画像の場合には、映像マーキングを移動させることにより追従できることを特徴とする請求項１乃至２１のうちいずれか１つ以上の請求項に記載の方法。
【請求項２３】
マークが付けられた物体または人についての追加情報の要求、表示ができることを特徴とする請求項１乃至２２のうちいずれか１つ以上の請求項に記載の方法。
【請求項２４】
請求項１乃至１７のうちいずれか１つ以上の請求項に記載のデータと映像シークエンスの再生を個別に制御するための方法であって、整備技術者のために、最新の情報を対象となる会社のウェブサーバーからインターネットを介してダウンロードでき、更新できることを特徴とする方法。
【請求項２５】
前記メニュー制御により、整備技術者は前記技術者自身の作業に関する経験と知識をウェブサーバー上に記憶させることを特徴とする請求項１乃至２４のうちいずれか１つ以上の請求項に記載の方法。
【請求項２６】
請求項１乃至１７のうちいずれか１つ以上の請求項に記載のデータと映像シークエンスの再生を個別に制御するための方法であって、車両の部品交換事業において、部品サプライヤのウェブサーバーにアクセスすることにより、最新の交換部品についての情報を顧客サービス従業員及び顧客サービス技術者に提供する方法。
【請求項２７】
請求項１乃至１７のうちのいずれか１つ以上の請求項に記載のデータと映像シークエンスの再生を個別に制御するための方法であって、情報伝達イベントまたはプレゼンテーションにおいて、情報提供者のウェブサーバーより情報を更新しながら、同時に技術的説明または一般的情報を再生する方法。
【請求項２８】
請求項１乃至１７のうちのいずれか１つ以上の請求項に記載のデータと映像シークエンスの再生を個別に制御するための方法であって、参照作業に関して、陳腐化した情報を常時更新するための方法。
【発明の詳細な説明】
【技術分野】
【０００１】
本発明は、リアルタイムにデータ記録媒体からの映像シークエンス（film sequence）の再生を個別に制御し影響を与えるための方法に関し、メニュー制御により実行されるナビゲーションを含む。
【背景技術】
【０００２】
高データ密度を有するデータ記録媒体、例えばＣＤ−ＲＯＭやＤＶＤは、価格／記憶容量比率に関して利点があり、ビデオＤＶＤ、オーディオＤＶＤ、コンピュータデータ媒体、または上記を組み合わせたものが使用可能であり、データ記憶方法の使用に適している。従って、このデータ記憶方法は、多くの異なる使用可能性を提供する最新のデータ媒体を含む。ビデオＤＶＤは、高品質画像及び音声データを記憶し、対象データに時間遅延なしで直接アクセスする、つまり、複雑な巻戻しやサーチ作業を必要としないので、短時間での読取アクセスに利用できる。
【０００３】
このような特性のために、「フィルム」が媒体として重要な役割を果たしている他のアプリケーションにも適しており、公知である「映画ＤＶＤ」として使用の他にも、例えば、製品プレゼンテーション、ドキュメンテーション、電子学習システムや他のビジネス・アプリケーションにも適している。ＣＤまたはＤＶＤは、何回再生しても劣化しないので、映像資料を長期保管したり運送する場合にも特に適しているが、ＤＶＤは「一度しか書き込めない媒体」であるので、欠点も明らかである。従って、最新データや頻繁に変更されるデータはＤＶＤには記憶するべきではない。
【０００４】
それは、使用時にはデータが陳腐化しているリスクが極めて高いからである。現状では、大多数の変更可能なデータがネットワークを介して、好ましくはインターネットを介して伝送されている。ワールドワイドウェブ（WWW）の欠点は、一般にはよく知られている。エンドユーザーへの転送点で帯域幅が異なっていたり、帯域幅の大きさが不十分だったりするので、大量のデータをリアルタイムで伝送できない。従って、現状ではインターネットを介して高品質画像素材を再生できず、また近い将来にも期待できない。
【０００５】
従来のデータ媒体上には、例えばＤＶＤやＣＤ−ＲＯＭでは、通常はメニュープログラムが記憶され、このプログラムにより記憶されたデータが再生される。例えば、通常、ＤＶＤ上には複数の映像シークエンスがあり、ＤＶＤをＤＶＤプレイヤーに挿入すると、グラフィカルユーザーインターフェース（GUI）、いわゆるメニュープログラムがロードされる。メニュープログラムにより個別に選択可能なメニューポイントが利用できるようになり、特定の映像シークエンスを、それに対応するメニューポイントを選択することで起動させたり、または他のメニューポイントにおけるサブメニューを呼び出すことができる。規格化された形式で適用される場合は、個別のメニューポイントの機能はＤＶＤ上に記憶される。
【０００６】
このようなＤＶＤは、ハードウェアプレイヤーまたはソフトウェアプレイヤーを使って再生でき、ハードウェアプレイヤーはスタンドアローン型装置であり、例えばテレビセット等の再生媒体に接続され、ＤＶＤメニューと映像シークエンスの両方を再生できる。ソフトウェアプレイヤーは、特定のオペレーティングシステム用ソフトウェアであり、十分に高速のＰＣとＰＣ  ＤＶＤドライブと接続することでコンピュータモニタ上でＤＶＤを再生できる。これに関連して、ＤＶＤ上に記憶されるメニュープログラム及びメニューポイントはコンピュータモニタ上に表示され、選択ポイントは、マウスまたは他の入力装置を使用して選択できる。これに関連して、使用するメニュープログラムは、ビデオレコーダと同様に、再生プロセスを始動または停止することができ、同じまたは異なった位置から再生プロセスを継続できる。
【０００７】
実際の映画に関する場合には、この手順方法で十分であると言えるが、常時更新する必要があるデータを音声及び／又は映像の形式で表示する場合は、少なくともデータの一部が陳腐化し、更新が必要となる場合が極めて頻繁に発生する。従って、データの作成者しか、必要に応じて、顧客に新しいデータ媒体を送付できなかったので、結果として発送コストが高くなるだけでなく、新しいデータ媒体の作成も必要となる。特定の製品が急速に開発される結果として常時更新および置換が必要な特別なデータに関する場合は、この手順方法は経済的に受け入れ難い。
【発明の開示】
【発明が解決しようとする課題】
【０００８】
ＤＶＤは記録密度が高いので、必要に応じて映画全体を１枚または２枚（必要に応じて）のＤＶＤに記憶できる。しかし、ＤＶＤは購入されても、一般的に頻繁には使用されていない。この原因は、同じ映像を何度か見た後では、個々の場面に詳しくなってくるので、何度も繰返して再生して見たいという十分な動機付けがなくなるからである。これには、様々な原因が考えられるが、既存の映像は所定の順序でしか再生できず、更新または編集ができない事実に起因し得る。
【０００９】
本発明は、データ記録媒体上にある既存の映像素材を新しい方式、興味を起こさせる方式で提供できる方法を提示するという課題に基づく。
【課題を解決するための手段】
【００１０】
本発明によれば、この課題を達成するために、再生順序を変更、拡張し、及び／又は最初及び／又は２回目以降の各再生プロセス中に追加の情報を提供することが提示される。
【発明を実施するための最良の形態】
【００１１】
上記の方法の特徴的な機能としては、古いデータを新しいデータに置換することが含まれる。即ち、例えば、他のデータ媒体上または他のアクセス可能な媒体上に記憶されている再生プロセスに新しいデータを含ませて、必要に応じて、再生プロセスを変更または拡張する、または追加の情報を設けることである。これに関連して、既存の記憶されている映像と追加情報、例えば画像、テキスト、音声または他の全ての種類のデジタルデータとの間のリンクを提供すること、上映時間または特定対象物に関連して追加情報を映像にリンクさせることも特に可能になる。この方法では、既存の映像に、詳細情報、例えばリンクなしでは表示できないであろう情報を補足できる。
【００１２】
この目的のために必要なデータは、例えばウェブサーバー内に記憶させることができ、または、データは他のデータ記録媒体上から利用可能とすることもでき、映像の上映時間中に、例えばインターネットからダウンロードされたデータと所望のリンクをさせることができるので、継続的な変更が可能になる。特に利点があるのは、映像または映像セグメントを他の映像セグメントまたは他のデジタル記憶データとリンクさせるという点であり、このような形式は、今までは存在していなかった。その他の大きな利点には、既存の映像を順番に再生する必要がないこと、つまり、最初から最後まで順次再生する必要がなく、映像の個別場面に直接ジャンプできることがある。さらに、リアルタイムで映像の場面を再カットできるので、既存の映像素材を新しい方法、所望の方法で組み合わせることができ、例えば、常時更新および編集され得る話題の注目部分を強調するために、新しい上映時間が設定され得る。
【００１３】
これに関連して、一つの映像と他の映像を、例えば従来のカットプロセスに対応する反復的な形式でリンクさせることができ、これにより、一つの同じビデオ素材についてカット順序を所望回数だけ実施でき、元のビデオ素材が修正されないので、ビデオ素材を所望の方法で取り出すこともできる。さらに、例えば、インターネットからダウンロードされたデータは、映像を進めながら、順次修正すること、または再構成することもできる。さらに、一つの映像を他の映像に繰り返しリンクさせることができるので、この全く新しいカット方法により上映時間中に視聴者自身が映像の内容を決定でき、手動介入による処理方法が発動され、異なる映像シークエンスへの切換え、または特定の製品についての詳細情報の再生ができる。
【００１４】
要求されたデータが伝送された後、または追加映像シークエンスが完了した後で、前回中断された同じ所からメインの映像が継続する。このような映像の反復ナビゲーションは、所望の回数だけ、また所望の範囲まで実行でき、従来は未知であった可能性が開けてくる。これにより、例えば映像を完全に改訂できるが、この場合に必要なデータは、他のデータ記録媒体から利用可能か、またはインターネットから最新の形式でダウンロードできる。
【００１５】
本発明の方法によると、メニュープログラムがビデオＤＶＤに設けられている場合には、必要とされる介入が実行可能となるように、このプログラムは既存のメニュー制御により取り消されること、または無効にされることがある。さらに、メニュー制御は、例えばインターネットからダウンロードされる外部制御により影響を受けること、または外部制御がインターネットから直接メニュー制御に作用することもある。これに関連して、ナビゲーション、即ち、再生プロセスの制御は、主媒体としての映像または外部制御プログラムによって決定できる。
【００１６】
従って、ここで説明される方法は、ネットワークとＤＶＤとの間のブリッジを形成し、再生中に映像データ、テキストデータとビデオデータ間に一時的なリンクを生成する。さらに、どのようなシークエンスでもウェブコンテンツにＤＶＤを取り込むことができるので、映像要素を備えたウェブコンテンツはＤＶＤの既存データを補足したり、またはウェブコンテンツを呼び出し、ナビゲーションとして映像要素を使用するための非公式な基盤としてＤＶＤ映像を利用できる。
【００１７】
本発明の特定の実施形態においては、これに関連して、視聴者の手動による介入、例えば静的または動的な映像のマーキング、またはインターネットからのデータの呼び出しは、映像からの他のデータとともにファイルに記憶できる。これは、変更を記録し、特定の手法に関して得られたデータを利用可能な状態で保持するためであり、これによりデータを随時呼び出すことができる。
【００１８】
メニュー制御は、データ記録媒体または再生装置、例えばＰＣにより、少なくともその一部分を記憶し、呼び出すことができる。データ記録媒体は個別の認識コードにより識別できるので、メニュー制御は、認識コードを検討することにより、特別に修正された再生変数を選択でき、その再生変数は、例えば最新のデータ状態に依存したり、または例えば映像表示のように特別な使用目的のために記憶されたデータの一部だけを要求し再生するものがある。
【００１９】
本発明の特定の実施形態においては、メニュー制御はインターネットへのリンクを生成し、認識コードを使ってデータ記録媒体の製造者または作成者にさらにデータを要求し、再生中にこのデータを検討する。データ事業者からのデータを再生する方法のさらなる有利な実施形態においては、インターネットの技術的利点を利用し、更新を必要とするデータ媒体上のデータは、認識コードを使って、データ記録媒体の製造者または作成者が照会（クエリー：query）でき、再生中に検討できるという形を取る。つまり、データ記録媒体を定期的に交換し、ユーザーへ送付する必要がなく、その代わりに、古い記録媒体は、メニュー制御および外部制御プログラムにより更新後の再生が可能となるように、使用できる。
【００２０】
これに関連して、有利な点としては、メニュー制御はウェブサーバー上に配置された制御プログラムによる影響を受けるということがあり、記憶されたデータの再生が変更される。制御データの少なくとも一部は、外部データ処理装置、例えばウェブサーバー等に記憶することができ、この外部処理装置は、インターネットに接続されており、インターネットを介してメニュー制御装置を制御する。これに関連して、データ記録媒体の作成者のウェブサーバーまたはインターネットに接続された他のサーバーを関与させることができる。制御プログラムにより、有利な方法で、再生順序を変更したり、必要に応じて拡張したり、または追加情報を追加できる。特にこれには、必要に応じて呼び出すことができる技術詳細情報、購入アドレス、他の情報源または更なる情報を関与させることができる。
【００２１】
本発明の他の特徴的な実施形態においては、再生はメニュー制御、特に制御プログラムによって中断され、追加データは再生プロセスへ挿入され、重ね合わされるか、またはインターネット、例えばウェブサーバーまたはプレゼンテーション用コンピュータ等により置換データとして再生される。この方法は、例えば、新しく作成された映像場面を備えた映像を更新する場合に好ましく、会社の利益や他の最新の情報に関するデータを再生するためのプレゼンテーション用コンピュータの場合、データは、インターネットを介して常時集中的に更新することができ、現在のニーズに適合できるので、再生プロセスで全ての挿入および重ね合わせが実行でき、特に、必要とされなくなった古いデータはスキップできる。
【００２２】
データをインターネットからダウンロードするメニュー制御により、追加音声及び／またはビデオシークエンスをウェブからダウンロードして再生できることには特に利点があり、これらのデータは、例えばビデオファイル、テキストファイルまたは映像シークエンスとすることができ、既存の古いデータをウェブサーバーからの新しいデータで補足すること、または既存の古いデータに新しいデータを重ね合わせることを種々の形式で行うことができる。
【００２３】
本発明の他の主要な実施形態においては、静止または動画像に、例えばマウスポインタでアクセスすることができ、例えばウェブサーバーにより特定対象物を選択し、その対象物についての追加情報を要求できる。マウスポインタを使用して静止または動画像から特定の対象物を選択できること、その対象物についての追加情報を呼び出すことができることにより、従来からの既存の可能性が様々な形式で大幅に拡大する。例えば、特定の映像シークエンスを再生している間に、関心をもった視聴者が対象物、例えばサングラス、バイクや他の対象物等のみを選択でき、さらにこれらに関する情報を要求できるので、メニュー制御は選択された対象物を識別し、記憶された情報を目的とする方法で直接表示するか、またはインターネットを介して照会（クエリー）を送信して、情報を表示できる。
【００２４】
アクセスは、視聴者により手動で行うことができる。またはデータ媒体の識別コードを識別した後で、自動的にアクセスを開始し、制御できるので、当然ながら、制御はウェブサーバーを介して拡大される。このようにして、映像で表示される全ての商品や製品についての情報を表示でき、必要に応じて、ウェブからダウンロードできる。ウェブサーバーに直接アクセスすることにより、最も簡単な形式で注文できる。この代わりに、メニュープログラムに影響する制御プログラムをプレゼンテーション用コンピュータ内に、例えば見本市、会社の建物内またはデータを記憶するために必要な他の装置内に、記憶させることができ、そして進行中のプレゼンテーション表示を検討している間、制御プログラムは再生を制御できる。
【００２５】
本発明による方法に基づいて新しく開発されたソフトウェアは、さらにＰＣシステム上でＤＶＤを再生できる。このソフトウェアは、他のソフトウェアプレイヤーと同様に、ＤＶＤに記憶されたメニュー構造の表示および使用ができる。本発明によると、既存の機能範囲は補足されているので、ＤＶＤの特定メニューポイントの個別の機能は、それが選択されても無視され、その代わりに他の機能が実行される。その機能とは、例えば、特定時間コードによる特定映像シークエンスの呼び出し（ＤＶＤの任意の所望位置へジャンプする）、ウェブサイトの呼び出し、別々に記憶されたデータを、例えばＤＶＤから、ＰＣ上で、または接続されたネットワーク上から呼び出すことが含まれている。これに関連して、データもインターネットを介して呼び出すことができる。同様に、任意の所望パラメータにより、ＰＣで任意の所望のアプリケーションを開始することができ、ＰＣの１つ以上のインターフェースにより周辺機器との制御または通信を行うことができる。
【００２６】
再生中、プログラムは、ユーザーの介在を必要とせずに、時間コードの関数として特定の映像シークエンスに関して自動的に上記の機能を実行する。即ち、各々の時間内で再生時間と表示フレームを実行できる。
【００２７】
再生中、ソフトウェアは、時間コードの関数として映像シークエンスを停止させ、その時点の再生映像シークエンスおよびその時点で表示されている画像をメニューとして提供できる。これに関連して、入力装置、例えばマウス等を使って、望むだけの範囲を選択できるので、上記で説明した機能を順次実行できる。
【００２８】
再生中には、その時点の画像をメニューとして追加的に使用でき、例えば、個別の物体、人、物品または映像シークエンスの自由に選択可能な他の領域をメニューポイントとして選択する。対象の物体が映像の再生中に移動する場合には、選択ポイントはこれに伴って移動させられ、映像内の物体は、ユーザー用にメニューポイントとして表示される。つまり、対象の人または物品は、随時クリックして選択できる。ポイントが選択されると、上記で説明した機能も実行され得る。メニューポイントのサイズは自由に変更可能なので、メニューポイントが移動する経路は自由に選択することができ、直線及び／又は曲線上を移動できる。
【００２９】
既存のネットワークへの接続、例えばインターネットによるものは、任意の所望の画像フォーマットを備えた任意の所望の映像シークエンスを、例えばストリームプロセスを使って取り込んで、ＤＶＤの映像シークエンスと同様に再生できるという特に有利な点があることを強調しておく必要がある。上記で説明した特別な機能も、これら映像シークエンスの再生時に利用できる。
【００３０】
さらに、買い物籠機能をメニュー制御に組み込むことができ、この機能は個別に表示される物体を選択し、記憶する。選択された物体の記憶リストはさらに処理することができ、注文、問い合わせ、または情報媒体としてのプリントアウトができる。この目的のために、データは、ネットワーク、例えばインターネットを介して、伝送、記憶、印刷される。
【００３１】
上記で説明した機能を実行するために、特にビデオシークエンスの再生が中断され、映像内に存在する物体や人についての特別な製品情報や他の情報が、必要に応じて、ウェブサーバーからダウンロードされ、表示されるので、追加情報が提示された後では、例えば、対話を実行するため、または注文を行うために、視聴者は手動で介入できる。
【００３２】
これに関連して、再生中には、個別の物体、人等は映像マーキングを取り込んで識別することができ、動画の場合には、映像マーキングを物体や人に追従させることにより識別することができ、同時に情報が呼び出され、表示される。
【００３３】
本明細書で説明する方法は、特に整備技術者が使用する場合に適しており、整備技術者のために最新の情報を、インターネットを介して、対象となる会社からダウンロードし、必要に応じて、更新できる。この方法により、新しい装置の場合、整備技術者は、例えば修理に必要な情報を全て得ることができ、同時に整備技術者が自身の仕事についての経験や知識を、例えばメニュー制御に関して、ウェブサーバー上に記憶させることができるので、他の整備技術者はこの経験や知識の恩恵を受けることができる。これが適用されれば、最短期間で迅速かつ費用対効果がある修理を実施できるという可能性が生まれる。
【００３４】
他に使用される分野としては、例えば車両の部品交換事業があり、部品サプライヤのウェブサーバーにアクセスすること、およびこの情報を直接呼び出すことにより、カスタマーサービスの従業員やカスタマーサービスの技術者に最新の交換部品について知らせることもできる。
【００３５】
さらに、この方法は情報伝達イベントまたはプレゼンテーション、技術情報や説明の再生にも適しており、更新はウェブサーバー上で集中的に管理され、メニュー制御および外部制御プログラムを使って再生プロセスを実行する場合には、プレゼンテーション室で介在する必要はない。
【００３６】
また、この方法の使用は、参照作業のように、常時更新が必要であり、また発行後に補足や置換が必要な場合には、特に利点がある。ＤＶＤまたはＣＤ−ＲＯＭが使用される場合には、インターネットにより、ウェブから最新の情報を直接ダウンロードでき、利用可能となる。
【００３７】
本明細書に列挙した例は、当然ながら全てを網羅しているものではなく、所望に応じて拡張できる。インターネットおよび接続されたウェブサイトを使って、データ記録媒体からデータを制御し、個別に再生する方法は、陳腐となった情報をできる限り早く置換するための安価で最新の方法を初めて示したものである。従って、この方法の使用は、広範囲の技術分野および情報の伝送にまでに拡張できる。
【国際公開パンフレット】
2004530382.tif 000002
2004530382.tif 000003
2004530382.tif 000004
2004530382.tif 000005
2004530382.tif 000006
2004530382.tif 000007
2004530382.tif 000008
2004530382.tif 000009
2004530382.tif 000010
2004530382.tif 000011
2004530382.tif 000012
2004530382.tif 000013
2004530382.tif 000014
2004530382.tif 000015
2004530382.tif 000016
2004530382.tif 000017
2004530382.tif 000018
2004530382.tif 000019
【国際公開パンフレット（コレクトバージョン）】
2004530382.tif 000020
【国際調査報告】
2004530382.tif 000021
2004530382.tif 000022
2004530382.tif 000023
2004530382.tif 000024
2004530382.tif 000025
2004530382.tif 000026